(57)【要約】【課題】アース用の部品を増加することなく電磁波遮蔽体をアースすることができる電気機器を提供する。【解決手段】電磁波発生源としての端子基板と、端子基板が発生する電磁波が外部に放出されるのを遮蔽する電磁波遮蔽体Ａとを備え、一面が塗装された導電体板６の縁部を前記一面側へ折返して折返部６３を形成し、他の導電体板５を前記折返部６３に接触させて前記電磁波遮蔽体Ａを構成することにより、アース用の部品を増加することなく電磁波遮蔽体Ａをアースすることができるようにした。【選択図】図５
2007214401.tif 000002
【特許請求の範囲】
【請求項１】
電磁波発生源が発生する電磁波が外部に放出されるのを遮蔽する電磁波遮蔽体を備える電気機器において、一面が塗装された導電体板の縁部が前記一面側へ折返されて折返部が形成されており、他の導電体板を前記折返部に接触させて前記電磁波遮蔽体を構成してなることを特徴とする電気機器。
【請求項２】
一面が塗装された前記導電体板は、矩形をなし、且つ前記電磁波発生源の周りを覆う覆板部と、該覆板部の一方の長辺端から他面の方向へ延出され、その先端部に前記折返部が形成されている延出片とを有する請求項１記載の電気機器。
【請求項３】
前記折返部は、前記長辺端の長手方向へ離隔した複数の位置に凹面及び該凹面の夫々に開設された螺子孔を有し、前記他の導電体板は、前記凹面の夫々に接触する凸面及び該凸面の夫々に開設された貫通孔を有し、該貫通孔から前記螺子孔に螺着されるボルトにより前記導電体板の夫々を接続してある請求項２記載の電気機器。
【請求項４】
前記電磁波遮蔽体を支持する支持体を備え、一面が塗装された前記導電体板は、前記折返部と反対側の縁部から前記一面の方向へ延出され、他面が前記支持体に接触する延出片を有する請求項１記載の電気機器。
【請求項５】
前記折返部は、前記縁部に沿う方向へ離隔した複数の位置に凹面及び該凹面の夫々に開設された螺子孔を有し、前記他の導電体板は、前記凹面の夫々に接触する凸面及び該凸面の夫々に開設された貫通孔を有し、前記凹面及び凸面は前記貫通孔から前記螺子孔に螺着されるボルトの頭部が前記他の導電体板より外方へ突出しないようにしてある請求項１又は４記載の電気機器。
【発明の詳細な説明】
【技術分野】
【０００１】
本発明は液晶表示装置、プラズマ表示装置等の電気機器に関する。
【背景技術】
【０００２】
液晶テレビ、プラズマテレビ等の電気機器は、前側に表示面を有し、後側に、画像入力端子及びビデオ入力端子等の複数の端子を有する第１の端子基板と、オーディオ用端子及びスピーカ用端子を有する第２の端子基板と、第１及び第２の端子基板の周りを覆うカバー体とを備える（例えば、特許文献１参照）。
【０００３】
このように端子基板等を備える電気機器は、前記端子基板等の電磁波発生源から低周波数の電磁波が放射されることが知られている。
【０００４】
そこで、前記電磁波発生源から放射される電磁波が外部に放出されるのを防ぐため、前記電磁波発生源が発生する電磁波が外部に放出されるのを遮蔽する電磁波遮蔽板を合成樹脂製の前記カバー体に取付け、該電磁波遮蔽板と前記カバー体との間にステンレス製のアース板を介在させ、電磁波遮蔽板が遮蔽した電磁波をアース板でアースするように構成した電気機器が知られている。
【特許文献１】特開２００４−１０９３９６号公報
【発明の開示】
【発明が解決しようとする課題】
【０００５】
ところが、以上のように構成された従来の電気機器にあっては、電磁波遮蔽板とは別個にアース板を必要とするため、部品点数が増加することになり、また、合成樹脂製のカバー体が成形される成形時間が比較的長いため、カバー体のコストが比較的高くなり、低価格にすることが要望されていた。
【０００６】
本発明は斯かる事情に鑑みてなされたものであり、主たる目的は一面が塗装された導電体板の縁部を前記一面側へ折返して折返部を形成し、他の導電体板を前記折返部に接触させて電磁波遮蔽体を構成することにより、アース用の部品を増加することなく電磁波遮蔽体をアースすることができ、しかも、成形される合成樹脂製のカバー体を備えるものに比べてコストを低減できる電気機器を提供することにある。
【０００７】
また、他の目的は一面が塗装された導電体板を、矩形をなす覆板部と、該覆板部の一方の長辺端から他面の方向へ延出され、その先端部に折返部が設けられている延出片とを有する構成とすることにより、アース部の接触面積を比較的多くすることができる電気機器を提供することにある。
【０００８】
また、他の目的は矩形をなす覆板部の長辺端の長手方向へ離隔した複数の位置に凹面及び該凹面の夫々に開設された螺子孔を折返部に設け、前記凹面の夫々に接触する凸面及び該凸面の夫々に開設された貫通孔を他の導電体板に設けることにより、電磁波遮蔽体を大形にすることなくアース部の接触面積を確実に増加することができる電気機器を提供することにある。
【０００９】
また、他の目的は電磁波遮蔽体を支持する支持体を設け、一面が塗装された導電体板に、折返部と反対側の縁部から前記一面の方向へ延出され、他面が前記支持体に接触する延出片を設けることにより、一面が塗装された導電体板の支持体との接触面積を確実に増加することができる電気機器を提供することにある。
【００１０】
また、他の目的は縁部に沿う方向へ離隔した複数の位置に凹面及び該凹面の夫々に開設された螺子孔を折返部に設け、前記凹面の夫々に接触する凸面及び該凸面の夫々に開設された貫通孔を他の導電体板に設け、前記凹面及び凸面を、前記貫通孔から前記螺子孔に螺着されるボルトの頭部が前記他の導電体板より外方へ突出しないように構成することにより、他の導電体板の外側にキャビネット等のカバー体が配置される場合、前記ボルトに邪魔されることなく前記カバー体を他の導電体板に近接させることができる電気機器を提供することにある。
【課題を解決するための手段】
【００１１】
本発明に係る電気機器は、電磁波発生源が発生する電磁波が外部に放出されるのを遮蔽する電磁波遮蔽体を備える電気機器において、一面が塗装された導電体板の縁部が前記一面側へ折返されて折返部が形成されており、他の導電体板を前記折返部に接触させて前記電磁波遮蔽体を構成してなることを特徴とする。
【００１２】
この発明にあっては、一面が塗装された導電体板の縁部を前記一面側へ折返して形成された折返部に他の導電体板を接触させて電磁波遮蔽体を構成してあるため、アース用の部品を増加することなく電磁波遮蔽体の夫々をアースすることができる。
【００１３】
また、本発明に係る電気機器は、一面が塗装された導電体板は、矩形をなし、且つ前記電磁波発生源の周りを覆う覆板部と、該覆板部の一方の長辺端から他面の方向へ延出され、その先端部に前記折返部が形成されている延出片とを有することを特徴とする。
【００１４】
この発明にあっては、矩形をなす覆板部の長辺端に沿って折返部が設けられているため、アース部の接触面積を比較的多くすることができ、電磁波遮蔽体が遮蔽した電磁波を速やかに逃がすことができる。
【００１５】
また、本発明に係る電気機器は、前記折返部は、前記長辺端の長手方向へ離隔した複数の位置に凹面及び該凹面の夫々に開設された螺子孔を有し、前記他の導電体板は、前記凹面の夫々に接触する凸面及び該凸面の夫々に開設された貫通孔を有し、該貫通孔から前記螺子孔に螺着されるボルトにより前記導電体板の夫々を接続してあることを特徴とする。
【００１６】
この発明にあっては、他の導電体板の凸面が折返部の凹面に接触しており、しかも、二つの導電体板をボルトで接続することにより、凸面を凹部に圧着することができるため、電磁波遮蔽体を大形にすることなくアース部の接触面積を確実に増加することができる。
【００１７】
また、本発明に係る電気機器は、前記電磁波遮蔽体を支持する支持体を備え、一面が塗装された前記導電体板は、前記折返部と反対側の縁部から前記一面の方向へ延出され、他面が前記支持体に接触する延出片を有することを特徴とする。
【００１８】
この発明にあっては、一面が塗装された導電体板の非塗装面が支持体に接触するため、一面が塗装された導電体板の支持体との接触面積を確実に増加することができる。
【００１９】
また、本発明に係る電気機器は、前記折返部は、前記縁部に沿う方向へ離隔した複数の位置に凹面及び該凹面の夫々に開設された螺子孔を有し、前記他の導電体板は、前記凹面の夫々に接触する凸面及び該凸面の夫々に開設された貫通孔を有し、前記凹面及び凸面は前記貫通孔から前記螺子孔に螺着されるボルトの頭部が前記他の導電体板より外方へ突出しないようにしてあることを特徴とする。
【００２０】
この発明にあっては、二つの導電体板を結合するボルトの頭部が他の導電体板より外方へ突出しないため、他の導電体板の外側にキャビネット等のカバー体が配置される場合、前記ボルトに邪魔されることなく前記カバー体を他の導電体板に近接させることができる。
【発明の効果】
【００２１】
以上詳述したように本発明によれば、一面が塗装された導電体板の縁部を前記一面側へ折返して形成された折返部に他の導電体板を接触させて電磁波遮蔽体を構成してあるため、アース用の部品を増加することなく導電体板の夫々をアースすることができ、組込作業性を向上できる。しかも、一方の導電体板は一面が塗装された板の縁部を折返すことにより形成されているため、成形される合成樹脂製のカバー体を備えるものに比べてコストを低減できる。
【００２２】
また、本発明によれば、矩形をなす覆板部の長辺端に沿って折返部が設けられているため、アース部の接触面積を比較的多くすることができ、電磁波遮蔽体が遮蔽した電磁波を速やかに逃がすことができる。
【００２３】
また、本発明によれば、導電体板の夫々をボルトで接続することにより、凸面を凹部に圧着することができるため、電磁波遮蔽体を大形にすることなくアース部の接触面積を確実に増加することができる。
【００２４】
また、本発明によれば、一面が塗装された導電体板の非塗装面を、電磁波遮蔽体を支持する支持体に接触させてあるため、一面が塗装された導電体板の支持体との接触面積を確実に増加することができる。
【００２５】
また、本発明によれば、二つの導電体板を結合するボルトの頭部が他の導電体板より外方へ突出しないため、前記ボルトに邪魔されることなくキャビネット等のカバー体を他の導電体板に近接させることができ、電気機器の例えば前後長さを短縮することが可能であり、電気機器の薄型化を図ることが可能である。
【発明を実施するための最良の形態】
【００２６】
以下本発明をその実施の形態を示す図面に基づいて詳述する。図１は本発明に係る電気機器の構成を示す背面側の斜視図、図２は背面側の分解斜視図、図３はキャビネットを取外した状態の背面側の斜視図、図４は要部の構成を示す斜視図、図５は要部の構成を示す拡大斜視図、図６は要部の構成を示す分解斜視図、図７は要部の構成を示す拡大斜視図、図８は要部の構成を示す拡大断面図である。
【００２７】
図示した電気機器は画像を表示する表示面を前側に有し、直方体をなす液晶パネルと、該液晶パネルの後側に配置された光学シートと、複数の発光灯を有する光源部と、該光源部を支持する金属製のシャーシ１と、該シャーシ１の後面に装着される端子基板２、前記液晶パネルを駆動制御するＬＣＤ制御基板３と、前記光源部を駆動制御するインバータ回路基板４と、端子基板２の周りを覆い、該端子基板２が発生する電磁波が外部に放出されるのを遮蔽する電磁波遮蔽体Ａと、前記パネルの外周部からシャーシ１の後側を覆うキャビネット７とを備える。尚、パネル、光学シート、光源部及びシャーシ１により表示部Ｂが構成されている。
【００２８】
シャーシ１は、直方体をなす枠部と、該枠部の後端を閉鎖する蓋板とを有する。
【００２９】
端子基板２は、ＤＶＩ端子２１，ＬＡＮ端子２２、ＰＣ入力端子２３，ＳＤカードスロット２４，電話回線端子２５，Ｄ端子２６，ＲＣＡ入力出力端子２７，Ｓ端子２８，アンテナ入力端子２９等が実装されている。この端子基板２は導電性を有する支持体としての支持板８に支持されており、該支持板８がシャーシ１の後面にボルトにより取付けられる。
【００３０】
ＬＣＤ制御基板３とインバータ回路基板４とはシャーシ１の後面にボルトにより取付けられている。また、ＬＣＤ制御基板３はカバー体９により被覆されており、インバータ回路基板４はカバー体１０により被覆されている。
【００３１】
電磁波遮蔽体Ａは、端子基板２の表面と対向する第１の導電体板５と、該第１の導電体板５に接続され、端子基板２の周りを覆う第２の導電体板６とにより構成されている。
【００３２】
第２の導電体板６は、一面が塗装された塗装鋼板を用いてなり、電磁波発生源としての端子基板２の一側を覆い、矩形をなす覆板部６１と、該覆板部６１の一方の長辺端から非塗装の他面方向へ延出された第１の延出片６２と、該第１の延出片６２の先端部が一面側へ折返された折返部６３と、覆板部６１の他方の長辺端から一面方向へ延出された第２の延出片６４とを有する。
【００３３】
覆板部６１はＤＶＩ端子２１，ＬＡＮ端子２２等の端子に対応する複数の貫通孔６５が設けられている。
【００３４】
折返部６３は塗装されている一面が第１の延出片６２の一面と向き合い、非塗装の他面が表側にあり、非塗装の他面が電磁波遮蔽体５と対面して接触するように構成されている。また、折返部６３は覆板部６１の長辺端に沿って矩形をなしており、長辺端の長手方向へ離隔する複数の位置に、第１の延出片６２側へ凸の複数の凹面６６，６６と、該凹面６６，６６の夫々に開設された螺子孔６７，６７とが設けられている。
【００３５】
第１の延出片６２は覆板部６１の長辺端に沿って矩形をなし、且つ折返部６３より広幅に形成されており、前記凹面６６，６６と対応する箇所に、凹面６６，６６部を受入れる貫通孔６８，６８が設けられ、折返部６３を第１の延出片６２に重合してある。また、第１の延出片６２の延出元部には長孔状の複数の位置決め孔６９，６９が長手方向に離隔して設けられている。
【００３６】
第２の延出片６４は覆板部６１の長辺端に沿って矩形をなし、ボルト挿通用の複数の挿通孔６４ａ，６４ｂと、他面方向へ曲げられた複数の位置決め片６４ｃとが設けられており、挿通孔６４ａに挿通されるボルト１２により支持板８に取付けられる。尚、位置決め片６４ｃに対応する位置決め孔がシャーシ１の後面に設けられており、位置決め片６４ｃを位置決め孔に嵌込むことにより第１の導電体板６を位置決めすることができるようになっている。
【００３７】
第１の導電体板５は複数の放熱孔が開設された金属板を成形してなり、略矩形をなす広板部５１と、該広板部５１のよすみ部及び一方の長辺端部から広板部５１と直交的に延出された五つの第２の延出片５２と、広板部５１の他方の長辺端部に凹面６６，６６に対応して設けられた複数の凸面５３，５３と、広板部５１の他方の長辺端部に位置決め孔６９，６９に対応して設けられた位置決め片５４，５４とを有し、第２の延出片５２の夫々にボルト挿通用の挿通孔５５が設けられている。
【００３８】
凸面５３，５３は広板部５１の長辺端部を板厚方向へ凸に膨出させることにより凹面６６，６６と接触するように形成されている。凸面５３，５３の中央部には螺子孔６７，６７に対応する貫通孔５６，５６が設けられており、該貫通孔５６，５６に挿通するボルト１１，１１を螺子孔６７，６７に緊締することにより凸面５３，５３を凹面６６，６６に圧着してある。また、凹面６６，６６及び凸面５３，５３はボルト１１，１１の頭部が第１の導電体板５より外方へ突出しないように形成されている。位置決め片５４，５４は広板部５１の長辺端部の一部を直交的に曲げることにより形成されている。
【００３９】
以上のように構成された電気機器は、光源部を支持するシャーシ１の後面に、端子基板２が搭載された支持板８と、ＬＣＤ制御基板３と、インバータ回路基板４とが夫々ボルトにより取付けられている。端子基板２は電磁波遮蔽体Ａを構成する第１及び第２の導電体板５，６により被覆されており、ＬＣＤ制御基板３はカバー体９により被覆されており、インバータ回路基板４はカバー体１０により被覆されており、シャーシ１はキャビネット７により被覆されている。
【００４０】
端子基板２に装着されたＤＶＩ端子２１，ＬＡＮ端子２２等の端子は、第２の導電体板６の貫通孔６５に挿入されており、第２の導電体板６の外部からＬＡＮ、ビデオ、パーソナルコンピュータ等を接続することができるようになっている。
【００４１】
第２の導電体板６は一面が塗装された塗装鋼板を成形してなり、該第２の導電体板６の縁部を一面側に折返して折返部６３を設け、塗装鋼板の塗装されていない他面を表側に位置させ、折返部６３の非塗装面に第１の導電体板５の凸面５３を接続しているため、端子基板２が発生した電磁波を、第１及び第２の導電体板５により遮蔽することができ、第１の導電体板５が遮蔽した電磁波を、第２の導電体板６の折返部６３から第２の導電体板６及び支持板８からシャーシ１に逃がすことができる。また、凹面６６，６６及び凸面５３，５３はボルト１１，１１の頭部が第１の導電体板５より外方へ突出しないように形成されているため、ボルト１１，１１に邪魔されることなくキャビネット７を第１の導電体板５に近接させることができ、電気機器の前後長さを短縮することができ、電気機器の薄型化を図ることができる。
【００４２】
尚、以上説明した実施の形態では端子基板２を電磁波発生源としたが、その他、ＬＣＤ制御基板３及び／又はインバータ回路基板４を電磁波発生源とする場合、第１の導電体板５及び第２の導電体板６がＬＣＤ制御基板３及び／又はインバータ回路基板４を被覆する構成としてもよい。
【００４３】
また、第２の導電体板６は、図３のように電磁波発生源の一側部を覆う構成とする他、電磁波発生源を全体的に被覆する構成としてもよく、第２の導電体板６の構成は特に制限されない。また、第１の導電体板５の構成も特に制限されない。
【００４４】
また、本発明に係る電気機器は液晶テレビ等の液晶電気機器である他、プラズマ電気機器、ＥＬディスプレイ等の電気機器であってもよい。
【図面の簡単な説明】
【００４５】
【図１】本発明に係る電気機器の構成を示す背面側の斜視図である。
【図２】本発明に係る電気機器の構成を示す背面側の分解斜視図である。
【図３】本発明に係る電気機器のキャビネットを取外した状態の背面側の斜視図である。
【図４】本発明に係る電気機器の要部の構成を示す斜視図である。
【図５】本発明に係る電気機器の要部の構成を示す拡大斜視図である。
【図６】本発明に係る電気機器の要部の構成を示す分解斜視図である。
【図７】本発明に係る電気機器の要部の構成を示す拡大斜視図である。
【図８】本発明に係る電気機器の要部の構成を示す拡大断面図である。
【符号の説明】
【００４６】
Ａ    電磁波遮蔽体
２    端子基板
５    第１の導電体板
５３  凸面
５６  貫通孔
６    第２の導電体板
６１  覆板部
６２  第１の延出片
６３  折返部
６４  第２の延出片
６６  凹面
６７  螺子孔
１１  ボルト
【図１】
2007214401.tif 000003
【図２】
2007214401.tif 000004
【図３】
2007214401.tif 000005
【図４】
2007214401.tif 000006
【図５】
2007214401.tif 000007
【図６】
2007214401.tif 000008
【図７】
2007214401.tif 000009
【図８】
2007214401.tif 000010